(57)【要約】【課題】ケースの開口部に対して回転式電子部品本体を位置ずれなく設置することができる回転式電子部品を提供する。【解決手段】機能部品収納部７９内に機能部品（スイッチ１１５及び発光素子１１７）を設置すると共に、機能部品収納部７９の周囲に回転体１７０及び回転体１７０の回転によって電気的出力を変化する電気的機能部（摺動子１５０及びオンオフ用パターン１７３）を設置してなる回転式電子部品本体５０と、開口部１２を有する外装ケース１０と、主基板２５０とを具備する。外装ケース１０に回転式電子部品本体５０を外装ケース１０の開口部１２内に機能部品収納部７９が位置するように取り付ける。外装ケース１０に主基板２５０を取り付ける。回転式電子部品本体５０に設置した機能部品と電気的機能部とを電気的接続手段（連結部１１１等）によって主基板２５０に接続する。【選択図】図１
2008282703.tif 000002
【特許請求の範囲】
【請求項１】
機能部品収納部を設けこの機能部品収納部内に機能部品を設置すると共に、前記機能部品収納部の周囲に回転体及びこの回転体の回転によって電気的出力を変化する電気的機能部を設置してなる回転式電子部品本体と、
開口部を有するケースと、
前記機能部品及び電気的機能部と電気的に接続される主基板とを具備し、
前記ケースに前記回転式電子部品本体をケースの開口部内に機能部品収納部が位置するように取り付け、且つこのケースに前記主基板を取り付け、
前記回転式電子部品本体に設置した機能部品と電気的機能部とを電気的接続手段によって前記主基板に接続したことを特徴とする回転式電子部品。
【請求項２】
前記回転式電子部品本体は、前記機能部品と前記電気的機能部を取り付けた回路基板を具備し、
前記電気的接続手段は、前記回路基板と主基板間を連結する可撓性を有する連結部を用いて構成されていることを特徴とする請求項１に記載の回転式電子部品。
【請求項３】
前記主基板は前記回転式電子部品本体と所定の隙間を介してケースに取り付けられ、前記隙間には他の電子部品が実装されていることを特徴とする請求項１又は２に記載の回転式電子部品。
【請求項４】
前記回転式電子部品本体にはその外周から張り出す取付部を設け、この取付部の部分を前記ケースに取り付けることを特徴とする請求項１又は２又は３に記載の回転式電子部品。
【発明の詳細な説明】
【技術分野】
【０００１】
本発明は回転式電子部品に関し、特に中央に他の機能部品を設置してなる回転式電子部品をケースに取り付けるのに用いて好適な回転式電子部品に関するものである。
【背景技術】
【０００２】
従来、回転式電子部品の中には、中央に押圧式電子部品の押釦つまみ等を設置し、その周囲に回転式電子部品の回転つまみを設置し、さらにその周囲をケースで覆ってなる構造のケース付きの回転式電子部品がある。
【０００３】
この種のケース付きの回転式電子部品５００は、例えば図７に示すように、主基板５１０上に回転式電子部品本体５３０を取り付け、その上（周囲）を外装ケース６００で覆って構成されている。ここで図８はケース付きの回転式電子部品５００の分解概略断面図である。同図に示すように主基板５１０は硬質基板５１１の上面中央に押圧スイッチ５１３を構成する反転板５１５を設置し、その周囲に発光素子５１７を取り付け、またその所定位置に複数の上下に貫通する貫通孔５１９を設けて構成されている。
【０００４】
回転式電子部品本体５３０は、特許文献１の図１に示す回転型可変抵抗器の構成と略同様の構成を有するものであり、中央に機能部品収納部５３３を設けた円筒状の軸部５３１の下部外周からつば状の基板載置部５３５を突出して構成される基体部５３７と、前記軸部５３１の外周に回動自在に取り付けられるリング状の回転体５４１と、回転体５４１の上面を覆うように取り付けられるカバー５４５と、前記基板載置部５３５上に載置されるリング状のフレキシブル回路基板５４５と、フレキシブル回路基板５４５と回転体５４１の間に設置される摺動子５４７及び摺接パターン５４９からなる電気的機能部５５１と、回転体５４１とカバー５４５の間に設置され回転体５４１の上面に設けたクリック用凹凸部５４３に弾接するクリックバネ５５１とを具備して構成されている。ここでフレキシブル回路基板５４５には金属端子５５３が取り付けられてその先端が基板載置部５３５の下面側に折り曲げられており、基板載置部５３５の下面からは位置決め突起５５５が突出しており、またカバー５４５の外周の一部は長尺な取付片５５７となって基板載置部５３５の下方に折り曲げられている。
【０００５】
外装ケース６００は、前記回転式電子部品本体５３０及び主基板５１０を覆う形状の成形品であり、回転式電子部品本体５３０の軸部５３１を露出する円形の開口部６０３を有し、またその外周側壁の下端面にねじ取付孔６０５を設けて構成されている。
【０００６】
そして回転式電子部品５００を組み立てるには、まず図９に示すように主基板５１０上に回転式電子部品本体５３０を載置する。その際、主基板５１０の各貫通孔５１９に回転式電子部品本体５３０の金属端子５５３の先端と位置決め突起５５５と取付片５５７とを挿入し、取付片５５７の先端を主基板５１０の下面に折り曲げることで回転式電子部品本体５３０を主基板５１０上に固定する。また金属端子５５３の先端を半田付けによって主基板５１０の表面に設けた図示しない回路パターンに電気的に接続する。そして回転式電子部品本体５３０を取り付けた主基板５１０上に外装ケース６００を被せ、外装ケース６００に設けたねじ取付穴６０５に主基板５１０の貫通孔５１９を介してねじ６３０をねじ込めば、図７に示すケース付きの回転式電子部品５００が完成する。なお図７に点線で示すように回転体５４１の上部には筒状の回転つまみ６４０が取り付けられ、また一点鎖線で示すように回転つまみ６４０の中央には機能部品収納部５３３内に上下動自在に挿入される押釦つまみ６５０が設置される。そして回転つまみ６４０を回転すれば、これと一体に回転体５４１が回転して電気的機能部５５１の出力が変化する。押釦つまみ６５０を押圧すれば、押圧スイッチ５１３がオンする。
【０００７】
上記ケース付きの回転式電子部品５００は、自動車のコンソールパネルやインストルメントパネルなどに取り付けられ、例えばエアコンなどの各種電装部品を操作する操作つまみとして利用されるものである。即ちこの場合、コンソールパネルやインストルメントパネルなどが外装ケース６００になる。
【０００８】
しかしながら上記従来のケース付きの回転式電子部品５００においては、主基板５１０上に回転式電子部品本体５３０を取り付けたものを、外装ケース６００の下面に取り付けるので、主基板５１０と外装ケース６００との取付誤差、及び主基板５１０と回転式電子部品本体５３０との取付誤差等により、図９に示す回転式電子部品本体５３０の軸部５３１の中心軸Ｌ１と、外装ケース６００の開口部６０３の中心軸Ｌ２とが一致しないでずれてしまう恐れがあった。前記中心軸Ｌ１，Ｌ２間にずれが生じると、図７に示す回転式電子部品本体５３０に取り付けた回転つまみ６４０の外周と外装ケース６００の開口部６０３との隙間がその全周において均一でなくなり、外装ケース６００をその上面側から見た場合の美観が阻害されるばかりか、回転つまみ６４０の外周側面が開口部６０３の内周側面に接触してその回転操作感覚が悪くなる恐れもあった。
【０００９】
特に通常、外装ケース６００には複数の開口部６０３（図７の紙面手前奥側にある）が設けられ、一方一枚の主基板５１０上に複数の回転式電子部品本体５３０を取り付け、この主基板５１０上に外装ケース６００を取り付けることで複数の回転式電子部品本体５３０の機能部品収納部５３３を同時に各開口部６０３に露出するように設置することが行われるが、このように構成した場合、主基板５１０上に取り付ける各回転式電子部品本体５３０間の取付誤差がさらに加わり、上記問題がさらに大きくなってしまう。
【特許文献１】特開２００５−９３５８３号公報
【発明の開示】
【発明が解決しようとする課題】
【００１０】
本発明は上述の点に鑑みてなされたものでありその目的は、ケースの開口部に対して回転式電子部品本体を容易に位置ずれなく設置することができる回転式電子部品を提供することにある。
【課題を解決するための手段】
【００１１】
本願請求項１に記載の発明は、機能部品収納部を設けこの機能部品収納部内に機能部品を設置すると共に、前記機能部品収納部の周囲に回転体及びこの回転体の回転によって電気的出力を変化する電気的機能部を設置してなる回転式電子部品本体と、開口部を有するケースと、前記機能部品及び電気的機能部と電気的に接続される主基板とを具備し、前記ケースに前記回転式電子部品本体をケースの開口部内に機能部品収納部が位置するように取り付け、且つこのケースに前記主基板を取り付け、前記回転式電子部品本体に設置した機能部品と電気的機能部とを電気的接続手段によって前記主基板に接続したことを特徴とする回転式電子部品にある。
【００１２】
本願請求項２に記載の発明は、前記回転式電子部品本体は、前記機能部品と前記電気的機能部を取り付けた回路基板を具備し、前記電気的接続手段は、前記回路基板と主基板間を連結する可撓性を有する連結部を用いて構成されていることを特徴とする請求項１に記載の回転式電子部品にある。
【００１３】
本願請求項３に記載の発明は、前記主基板は前記回転式電子部品本体と所定の隙間を介してケースに取り付けられ、前記隙間には他の電子部品が実装されていることを特徴とする請求項１又は２に記載の回転式電子部品にある。
【００１４】
本願請求項４に記載の発明は、前記回転式電子部品本体にはその外周から張り出す取付部を設け、この取付部の部分を前記ケースに取り付けることを特徴とする請求項１又は２又は３に記載の回転式電子部品にある。
【発明の効果】
【００１５】
請求項１に記載の発明によれば、ケースに回転式電子部品本体を直接取り付けた上で、回転式電子部品本体とは別にケースに主基板を取り付けるので、ケースの開口部内に容易且つ精度良く回転式電子部品本体の機能部品収納部を位置決めして設置することができる。
【００１６】
請求項２に記載の発明によれば、回路基板と主基板間を可撓性を有する連結部を介して両者を電気的に接続したので、主基板の取付位置ずれは回転式電子部品本体の位置に影響を与えない。
【００１７】
請求項３に記載の発明によれば、主基板と回転式電子部品本体の間に生じる隙間（空間）を利用して他の電子部品を実装でき、電子部品の実装密度を高めることができる。実装するのは主基板と回転式電子部品本体の対向面の内の何れか一方でも良く、両方でも良い。
【００１８】
請求項４に記載の発明によれば、回転式電子部品本体に設けた取付部によって、回転式電子部品本体を容易にケースに位置決めして取り付けることができる。
【発明を実施するための最良の形態】
【００１９】
以下、本発明の実施形態を図面を参照して詳細に説明する。図１は本発明の１実施形態にかかるケース付きの回転式電子部品１の概略側断面図（切断面は説明の都合上、各部で異なっている）である。同図に示すようにケース付きの回転式電子部品１は、ケース（以下「外装ケース」という）１０の下面側に回転式電子部品本体５０を取り付け、さらに回転式電子部品本体５０の下方に設置した主基板２５０を外装ケース１０に取り付けて構成されている。なおこの実施形態にかかるケース付きの回転式電子部品１は、自動車のコンソールパネルやインストルメントパネルなどに取り付けられ、例えばエアコンなどの各種電装部品を操作するものである。即ちこの場合、コンソールパネルやインストルメントパネルなどが外装ケース１０になる。以下各構成部品について説明する。なお以下の説明において、上又は上方向とは主基板２５０から見て回転式電子部品本体５０等を設置した側をいい、下又は下方向とはその反対側をいう。
【００２０】
図２，図３は回転式電子部品本体５０の上側の部品と下側の部品とを分割してそれぞれ示す分解斜視図である。これらの図に示すように回転式電子部品本体５０は、取付基台６０上に回路基板（以下「フレキシブル回路基板」という）１００と、複数本（４本）の摺動子１５０と、回転体１７０とを設置し、その上にクリック板２３０を取り付けたカバー２００を取り付けて構成されている。
【００２１】
取付基台６０は図１，図３に示すように合成樹脂の一体成形品であり、平板で円形状の載置部６１の上面中央に円形の筒状の軸部６５を突出して設け、また載置部６１の外周から上方に向かって円形の筒状の側壁部６９を突出して設け、さらに載置部６１の外周の１８０°対向する位置から半径方向外方に向けて一対の舌片状の取付部７３を張り出すように設けて構成されている。載置部６１は軸部６５の内側の上面を機能部品用載置部６１Ａ、軸部６５の外側の上面を電気的機能部用載置部６１Ｂとしており、それぞれの所定位置に小突起状の取付部７７（図ではその一部のみを示している）を設けている。軸部６５は筒状であってその中央の凹部を機能部品収納部７９とし、その根元部分の一部に軸部６５の内部と外部とを連通する矩形状の開口からなる連通部８１が設けられている。側壁部６９はその一部（連通部８１に対向する位置）に切り欠きからなる挿通部８３を設け、またその外周側面に上下方向に向かう帯状凹部からなる複数（７ヶ所、図３では６ヶ所示す）の溝部８５を設けている。取付部７３は平板状であって上下に貫通する小穴からなる取付穴８７と、位置決め用の小穴からなる位置決め穴８９とが設けられている。
【００２２】
フレキシブル回路基板１００は一枚の可撓性を有する合成樹脂フイルム（この実施形態ではポリエチレンテレフタレート（ＰＥＴ）フイルム）１０１の表面に各種回路パターンを形成して構成されており、合成樹脂フイルム１０１中には機能部品取付部１０３と電気的機能部形成部１０７と電気的接続手段（以下「連結部」という）１１１とが形成されている。機能部品取付部１０３は前記取付基台６０の機能部品収納部７９内に挿入されて機能部品用載置部６１Ａ上に載置される外形形状であって前記取付基台６０の連通部８１に挿入される帯状の接続部１１３を介してその外側の略リング状に設置される電気的機能部形成部１０７に接続されている。機能部品取付部１０３の上面には１８０°対向する位置に一対のスイッチ（押圧スイッチ）１１５を取り付け、また１８０°対向し且つ前記一対のスイッチ１１５とは９０°回転した位置に一対の発光素子１１７を取り付けている。スイッチ１１５は機能部品取付部１０３の表面に形成したスイッチパターン上に弾性金属板をドーム状に形成した反転板を取り付けて構成されている。スイッチ１１５と発光素子１１７は何れもこの回転式電子部品本体５０に設置され、回転体１７０の操作による回転式電子部品の機能とは別の機能を有する機能部品である。電気的機能部形成部１０７は前記機能部品取付部１０３の周囲を囲むように略リング状に形成されており、その外周の前記接続部１１３に対向する位置に前記連結部１１１を接続し、また連結部１１１を接続した１８０°対向する位置にリングの一部を切り欠く切り欠き部１２１を設けている。切り欠き部１２１で切り欠かれた電気的機能部形成部１０７の左右両側略中央の上面には、それぞれ一対ずつの接続パターン部１０９が設けられ、各接続パターン部１０９中には一対ずつの小孔からなる取付孔１１２が設けられている。連結部１１１は前記電気的機能部形成部１０７の外周に接続されてその半径方向外方に向けて引き出されている。連結部１１１の先端にはコネクタ（メス型コネクタ）１２３が取り付けられている。このコネクタ１２３も電気的接続手段の一部である。また機能部品取付部１０３の所定の二ヶ所と、電気的機能部形成部１０７の切り欠き部１２１の両側二ヶ所と、連結部１１１の根元部分の二ヶ所には、それぞれ小孔からなる取付部１２５が設けられている。連結部１１１のコネクタ１２３には、前記各スイッチ１１５や発光素子１１７や接続パターン部１０９に接続された回路パターンが引き出されて電気的に接続されている。
【００２３】
摺動子１５０は弾性金属板製であり略矩形状の摺動子基部１５１の一外周辺からアーム部１５５を突出してその根元を少し上方向に折り曲げ、その先端を弾接部１５９として構成されている。各摺動子基部１５１には、２つずつの小孔からなる取付固定部１５３が設けられている。
【００２４】
回転体１７０は合成樹脂の成形品であり、略平板リング状の回転体基部１７１の中央に回転体基部１７１の上方に向けて突出する円筒状の軸受部１７２を設けて構成されている。図６は回転体１７０の底面図である。同図に示すように回転体基部１７１の下面には多数のオンオフ用パターン１７３が櫛歯状でリング状に等間隔に形成されている。各オンオフ用パターン１７３は連結接続部１７５によって連結されている。オンオフ用パターン１７３と連結接続部１７５は一枚の金属板によって構成され、その表面が回転体基部１７１の下面に露出するように回転体１７０を成形する際に一体に埋め込まれ、その表面は回転体基部１７１の下面と同一面になっている。一方図２に示すように回転体基部１７１の上面にはこの上面全体にわたってリング状の凹凸からなるクリック係合部１７７が設けられている。軸受部１７２の外周には上下方向に向かって延びる２本で一対のつまみ取付部１７９が等間隔に４ヶ所設けられている。
【００２５】
カバー２００は金属板を略リング状に形成して構成されている。カバー２００はリング状のカバー本体部２０１を有し、その中央に円形であって前記回転体１７０の軸受部１７２を挿通する開口部２０３を設け、またその外周から複数本（７本）の細帯状の取付部２０５と１つの矩形状の覆い部２０７を突出してそれらの根元部分をそれぞれ下方向に折り曲げて構成されている。カバー本体部２０１はその外周がちょうど取付基台６０の側壁部６９上に載置され、これによって電気的機能部用載置部６１Ｂの上部を覆う寸法に形成されており、またその所定位置（２ヶ所）には小孔からなるクリック板取付部２０９が設けられている。前記各取付部２０５は前記取付基台６０の各溝部８５にちょうど挿入される寸法形状に形成されており、前記覆い部２０７は前記取付基台６０の挿通部８３にちょうど挿入される寸法形状に形成されている。
【００２６】
クリック板２３０は弾性金属板を略円弧状であって、カバー本体部２０１の下面に位置する形状寸法に形成されている。クリック板２３０の両端は略矩形状のクリック板基部２３１となっていて両クリック板基部２３１間を連結するように円弧状のアーム部２３３が設けられ、その中央に下方向に向かって凸となるクリック弾接部２３５が設けられている。アーム部２３３はその両端においてクリック板基部２３１の面より下方向に折り曲げられている。両クリック板基部２３１の前記カバー２００のクリック板取付部２０９に対向する位置にはそれぞれクリック板取付部２０９と略同一内径の貫通孔からなるクリック板取付挿入部２３７が設けられている。
【００２７】
回転式電子部品本体５０の組立方法を説明する。まず予めカバー２００のカバー本体部２０１の下面にクリック板２３０を設置して一対のクリック板取付部２０９とクリック板取付挿入部２３７の位置を合わせ、これらに図２に示すビス２４１の基部２４３の下端面から突出する軸部２４５を挿入し、軸部２４５の先端をかしめ、これによってカバー本体部２０１の下面にクリック板２３０を取り付けておく。次に図３に示す取付基台６０の載置部６１の上面にフレキシブル回路基板１００を載置する。その際、機能部品取付部１０３は取付基台６０の連通部８１を通して機能部品収納部７９内に挿入して機能部品用載置部６１Ａ上に載置し、一方電気的機能部形成部１０７は取付基台６０の電気的機能部用載置部６１Ｂ上に載置する。このとき取付基台６０に設けた各取付部７７をフレキシブル回路基板１００に設けた各取付孔１１２及び取付部１２５に挿入する。さらにフレキシブル回路基板１００の各接続パターン部１０９に各摺動子１５０の摺動子基部１５１を載置し、その際取付孔１１２に挿入した取付部７７を各摺動子１５０の取付固定部１５３に挿入する。そして全ての取付部７７の先端を熱かしめすることで、載置部６１上にフレキシブル回路基板１００を取り付けると同時に、フレキシブル回路基板１００の各接続パターン部１０９上に各摺動子１５０を取り付ける。このときフレキシブル回路基板１００の連結部１１１は取付基台６０の挿通部８３を通って外方に突出する。次に前記取付基台６０の軸部６５を回転体１７０の軸受部１７２中央の開口内に挿入して回転体１７０を軸部６５外周に回転自在に軸支する。このとき回転体１７０の回転体基部１７１は取付基台６０の側壁部６９の内側の凹部内に収納され、各摺動子１５０の弾接部１５９が回転体基部１７１の下面に弾接する。次に前記回転体１７０の上部にカバー２００を被せ、その際取付基台６０の軸部６５及び回転体１７０の軸受部１７２をカバー２００の開口部２０３に挿入し、同時にカバー本体部２０１の外周下面を取付基台６０の側壁部６９上に載置する。このときカバー２００の各取付部２０５を取付基台６０の各溝部８５に挿入し、カバー２００の覆い部２０７を取付基台６０の挿通部８３に挿入してこれを塞ぐ。またこのときクリック板２３０のクリック弾接部２３５は回転体１７０のクリック係合部１７７に弾接している。そして取付基台６０の底面側に突出する各取付部２０５の先端を取付基台６０の底面に折り曲げてカバー２００を取付基台６０に取り付ける。これによって回転式電子部品本体５０が完成する。
【００２８】
図１に戻って外装ケース１０は合成樹脂の成形品であり、前記回転式電子部品本体５０及び主基板２５０の上部を覆うケース本体部１１と、ケース本体部１１の下面側に突出する側壁部１３とを具備して構成されている。ケース本体部１１には、前記回転式電子部品本体５０の機能部品収納部７９を露出する開口部１２が設けられている。開口部１２はケース本体部１１の図１に示す紙面手前奥方向に向かって複数設けられており、従って外装ケース１０は図１に示す紙面手前奥方向に向かって長尺に形成されている。各開口部１２は円形であって下記する回転つまみ３００の外径よりも少し大きい内径を有している。側壁部１３の下端部にはねじ取付孔からなる主基板取付部１５がその複数箇所に設けられている。またケース本体部１１の下面の側壁部１３の内側部分からは下方向に向かって電子部品取付基部１７が突出して設けられ、その下面にねじ取付穴からなる電子部品取付部１９と、小突起からなる位置決め部２１とが設けられている。これら電子部品取付部１９と位置決め部２１は、それぞれ前記取付基台６０の取付部７３に設けた取付穴８７と位置決め穴８９に対向する位置に設けられ、電子部品取付部１９の内径と取付穴８７の内径、及び位置決め部２１の外径と位置決め穴８９の内径とはそれぞれ略同一に形成されている。
【００２９】
主基板２５０は硬質基板の表面に各種回路パターンを形成し、また図示しない各種電子部品を搭載して構成されている。主基板２５０は前記外装ケース１０の下面全体を略覆うように、図１に示す紙面手前奥方向に向かって長尺に形成されている。そして外装ケース１０の各開口部１２に対応する数だけ、主基板２５０上にオス側コネクタ２５１（図４参照）を設け、また前記外装ケース１０の各主基板取付部１５に対向する位置に主基板取付部１５と略同一内径寸法の貫通孔からなる取付挿入部２５３を設けている。オス側コネクタ２５１は前記コネクタ１２３に挿入される複数のピンからなり、電気的接続手段の一部を構成する。この主基板２５０と前記外装ケース１０は、装着される前記複数の回転式電子部品本体５０に共用されるものである。
【００３０】
次にケース付きの回転式電子部品１の組立方法を説明する。図４，図５はケース付きの回転式電子部品１の組立方法説明図である。ケース付きの回転式電子部品１を組み立てるには、まず予め図４に点線で示すように、回転体１７０の軸受部１７２の外周に筒状の回転つまみ３００を取り付ける。その取り付けには前記軸受部１７２の外周に設けたつまみ取付部１７９（図２参照）を利用する。また図４に一点鎖線で示すように機能部品収納部７９内に上下動自在に２つの押釦つまみ３１０を収納して設置する。押釦つまみ３１０は図４では明示されていないが何れも半円筒状であって両者の平面状の外周側面を対向させることで１つの円筒形状となるように設置される。各押釦つまみ３１０の下端面にはそれぞれスイッチ１１５を押圧する押圧部３１１が設けられている。なお回転つまみ３００や押釦つまみ３１０は回転式電子部品本体５０に外れないように取り付けられているが、その構造の記載は省略している。また押釦つまみ３１０は少なくともその一部が透光性の材料によって構成されることで、発光素子１１７から発光された光が押釦つまみ３１０の表面から外部に放射される構造となっている。
【００３１】
そして図４において外装ケース１０の下面に、回転つまみ３００と押釦つまみ３１０とを取り付けた回転式電子部品本体５０を設置する。その際回転式電子部品本体５０の取付部７３を外装ケース１０の電子部品取付基部１７の下端面に当接して位置決め穴８９に位置決め部２１を挿入し、取付穴８７と電子部品取付部１９の位置を合わせる。なお取付穴８７と電子部品取付部１９（及び位置決め部２１と位置決め穴８９）は図１，図４，図５では図示の都合上、１ヶ所のみ示しているが、実際は各回転式電子部品本体５０に対して図３に示すように２ヶ所ずつある。そして位置を合わせた一対ずつの取付穴８７と電子部品取付部１９にそれぞれおねじ３１をねじ込んで図５に示すように両者を一体化する。上記外装ケース１０への複数の回転式電子部品本体５０の取付作業は、複数ある各開口部１２に対してそれぞれ行われる。
【００３２】
このように各開口部１２に直接各回転式電子部品本体５０を取り付ければ、回転式電子部品本体５０の軸部６５（回転体１７０の軸受部１７２）の中心軸Ｌ３と開口部１２の中心軸Ｌ４とがずれることはなく（偏心することなく）、両者は精度良く一致した状態で一体化される。従って回転式電子部品本体５０に取り付けた回転つまみ３００の外周と外装ケース１０の開口部１２との隙間はその全周において精度良く均一になり、外装ケース１０を上面側から見た場合の美観が向上するばかりか、回転つまみ３００の外周側面が開口部１２の内周側面に接触してその回転操作感覚が悪くなることもない。
【００３３】
そして外装ケース１０の下面に主基板２５０を接近し、各回転式電子部品本体５０から引き出されている各コネクタ１２３と各オス側コネクタ２５１とを接続する。次に主基板２５０を外装ケース１０の側壁部１３の下端面に当接して外装ケース１０の主基板取付部１５と主基板２５０の取付挿入部２５３の位置を合わせる。そして位置を合わせた主基板取付部１５と取付挿入部２５３におねじ３５をねじ込んで両者を一体化する。これによって図１に示すケース付きの回転式電子部品１の組立が完了する。
【００３４】
以上のようにして組み立てられたケース付きの回転式電子部品１において、回転つまみ３００を回転すれば、これと一体に回転体１７０が回転して電気的機能部である左右一対ずつの摺動子１５０の弾接部１５９（図３参照）にそれぞれ回転体１７０のオンオフ用パターン１７３が摺接し、オンオフ用パターン１７３への当接タイミングに応じてフレキシブル回路基板１００の一対ずつの接続パターン部１０９（図３参照）にそれぞれ所望のオンオフ波形が得られる。一方一対の押釦つまみ３１０の内の何れか一方の押釦つまみ３１０を押圧すれば、押圧した押釦つまみ３１０の押圧部３１１によってこれに対向するスイッチ１１５がオンする。前記押釦つまみ３１０への押圧を解除すれば、スイッチ１１５はオフする。また発光素子１１７を発光すれば、押釦つまみ３１０がその下面側から明るく照らし出され照光される。
【００３５】
ところで主基板２５０は一般に硬質基板（プリント配線基板）によって構成され、取付挿入部２５３は工作機械等によって加工されるため、必ずしも取付挿入部２５３の位置が精度良い寸法で形成されているとは限らず、また一般に１枚の外装ケース１０に対して１枚の主基板２５０を取り付けるため、従来のように複数の回転式電子部品本体５０をこの主基板２５０上に取り付けたものを外装ケース１０に取り付けると、前述のように外装ケース１０に対する各回転式電子部品本体５０の位置に誤差が生じ易く、回転式電子部品本体５０を精度良い位置に設置することは困難である。しかしながら本発明によれば、外装ケース１０に回転式電子部品本体５０を直接取り付けた上で、回転式電子部品本体５０とは別に外装ケース１０に主基板２５０を取り付けるので、外装ケース１０の開口部１２内に容易且つ精度良く回転式電子部品本体５０の機能部品収納部７９を位置決めして設置することができる。またこの実施形態によれば、外装ケース１０に設けた複数の開口部１２内に精度良く複数の回転式電子部品本体５０の機能部品収納部７９を位置決めして設置することができる。またフレキシブル回路基板１００と主基板２５０間を可撓性を有する連結部１１１を介して電気的に接続したので、主基板２５０の外装ケース１０への取付位置ずれが回転式電子部品本体５０の位置に影響を与えることはない。またこの実施形態においては回転式電子部品本体５０に設けた取付部７３によって、回転式電子部品本体５０を容易に外装ケース１０に取り付けることができる。またこの実施形態においては、主基板２５０は回転式電子部品本体５０と所定の隙間Ｓを介して外装ケース１０に取り付けられており、従ってこの隙間Ｓに図示しない他の電子部品を実装している（この実施形態では前記隙間Ｓに面する主基板２５０の面（上面）に図示しない他の各種電子部品を搭載しているが、その代りに或いはそれと共に、回転式電子部品本体５０の前記隙間Ｓに面する面（下面）に他の各種電子部品を搭載しても良い）。このように主基板２５０と回転式電子部品本体５０の間に生じる隙間（空間）Ｓを利用して他の電子部品を実装できるので、電子部品の実装密度を高めることができる。
【００３６】
なお上記ケース付き回転式電子部品１に用いる外装ケース１０，取付基台６０，回転体１７０を構成する合成樹脂（成形樹脂）としては、成形できる合成樹脂であれば種々の材質の合成樹脂が利用でき、例えばＰＭＭＡ樹脂、ＡＢＳ樹脂、ＰＢＴ樹脂、ＰＯＭ樹脂、ポリカーボネート樹脂、アクリル樹脂等を用いることができる。またフレキシブル回路基板１００を構成する合成樹脂フイルム１０１の材質としては、ＰＥＴフイルムの他に、他の各種熱可塑性、熱硬化性、光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いることができる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では機能部品としてスイッチ１１５と発光素子１１７を用いたが、他の種々の機能を発揮する機能部品であっても良く、例えば別の回転式電子部品、シーソースイッチ、揺動型電子部品、電気的機能以外の機能を有する機能部品（例えば化粧板等）であってもよい。また上記実施形態では回転式電子部品として電気的機能部がオンオフ波形を連続して出力する機能を有する回転式スイッチ（エンコーダ）を設置したが、他のスイッチ波形を出力する回転式スイッチや、抵抗値を変化する回転式可変抵抗器等、他の各種電機的出力が得られる電気的機能部を具備する回転式電子部品を設置しても良い。上記実施形態では１つの外装ケースに複数の開口部を設けた例を示したが、１つの外装ケースに１つの開口部を設けたものであっても本発明を適用できる。
【００３８】
また上記実施形態では回路基板としてフレキシブル回路基板を用いたが、硬質の回路基板を用いても良い。その場合、回路基板と主基板間は別途フレキシブル回路基板やリード線などの可撓性を有する連結部（何れも電気的接続手段）によって連結することとなる。また場合によっては可撓性を有さない電気的接続手段によって機能部品と電気的機能部とを主基板に接続してもよい。また上記実施形態ではコネクタとオス側コネクタとによってフレキシブル回路基板と主基板とを電気的に接続したが、例えば導電性接着材等の他の手段を用いて接続しても良い。上記実施形態では主基板として硬質回路基板を用いたが、硬質の取付部材上にフレキシブル回路基板を載置することでこれに代えても良い。回転式電子部品本体を外装ケースに取り付ける取付部を設置する位置は上記実施形態の位置に限定されず、他の種々の位置であっても良い。主基板は必ずしも複数の回転式電子部品に共用させなくても良い。またケースは場合によっては外装ケース以外のケースであっても良い。また上記実施形態では本発明にかかる回転式電子部品を、自動車の内装電子部品として用いた例を示したが、自動車以外の各種装置・機器に搭載する回転式電子部品として用いても良い。なおスイッチ１１５の構造は種々の変更が可能であり、例えば２枚の合成樹脂フイルムを積層し両者の対向面に一対の接点パターンを薄い隙間を介して対向してなるいわゆるメンブレンスイッチであっても良く、またケース内にスイッチ機構を収納してなる単品のスイッチであっても良い。
【図面の簡単な説明】
【００３９】
【図１】ケース付きの回転式電子部品１の概略側断面図である。
【図２】回転式電子部品本体５０を構成する上側の部品を示す分解斜視図である。
【図３】回転式電子部品本体５０を構成する下側の部品を示す分解斜視図である。
【図４】ケース付きの回転式電子部品１の組立方法説明図である。
【図５】ケース付きの回転式電子部品１の組立方法説明図である。
【図６】回転体１７０の底面図である。
【図７】ケース付きの回転式電子部品５００の概略側断面図である。
【図８】ケース付きの回転式電子部品５００の分解概略断面図である。
【図９】ケース付きの回転式電子部品５００の組立方法説明図である。
【符号の説明】
【００４０】
１  回転式電子部品
１０  外装ケース（ケース）
１２  開口部
５０  回転式電子部品本体
６０  取付基台
６５  軸部
７３  取付部
７９  機能部品収納部
１００  フレキシブル回路基板（回路基板）
１１１  連結部（電気的接続手段）
１１５  スイッチ（機能部品）
１１７  発光素子（機能部品）
１２３  コネクタ（電気的接続手段）
１５０  摺動子（電気的機能部）
１７０  回転体
１７３  オンオフ用パターン（電気的機能部）
２００  カバー
２５０  主基板
２５１  オス側コネクタ（電気的接続手段）
【図１】
2008282703.tif 000003
【図２】
2008282703.tif 000004
【図３】
2008282703.tif 000005
【図４】
2008282703.tif 000006
【図５】
2008282703.tif 000007
【図６】
2008282703.tif 000008
【図７】
2008282703.tif 000009
【図８】
2008282703.tif 000010
【図９】
2008282703.tif 000011